【事件の表示】
　上記当事者間の登録第４５７３０４４号商標の商標登録無効審判事件について、次のとおり審決する。
【結　論】
　登録第４５７３０４４号の登録を無効とする。
　審判費用は被請求人の負担とする。
【理　由】
１　本件商標
　本件登録第４５７３０４４号商標（以下「本件商標」という。）は、別掲のとおりの構成よりなり、平成１３年４月１３日に登録出願、第９類「配電用又は制御用の機械器具」を指定商品として、平成１４年５月３１日に設定登録されたものである。
　
２　請求人の主張
　請求人は、結論同旨の審決を求め、その理由を要旨次のように述べ、証拠方法として甲第１号証ないし甲第８号証（枝番号を含む。）及び資料１を提出した。
（１）本件商標が商標法第３条第１項第３号に該当する理由
（ア）「イネーブル」の当業界における語義
（ａ）本件商標は、片仮名「イネーブル」の長音部分の下に「ＥＮＡＢＬＥ」なる欧文字を横書きして二段で構成されているものである。
　ところで、「イネーブル」なる語を技術用語辞典で調べると、複数の技術用語辞典に「イネーブル装置」として、以下のような記載がある（甲第２号証の１ないし３）。すなわち、「ＪＩＳ工業用語大辞典」には、「あらかじめ定められた動作位置に保持されている間に限り、ロボットの作動を可能にするための手動操作装置」なる定義付けがされている。また、「機械工学事典」では、「人間の手指等が指定された位置に保持されているときに限り、機械の作動を許可する装置。イネーブル装置を保持していなければ、仮に運転命令を与えても機械は作動しない。」なる定義付けがされている。
（ｂ）また、日本規格協会発行の「ＪＩＳ産業用マニピュレーティングロボット−用語」、「ＪＩＳ電子部品実装ロボット−用語」、「ＪＩＳ産業用マニピュレーティングロボット−安全性」、「ＪＩＳ電子部品実装ロボット−安全性」によれば、「イネーブル装置」として、上記「ＪＩＳ工業用語大辞典」と同様の定義がされている（甲第３号証の１ないし４）。さらに、「ＪＩＳ機械類の安全性−機械の電気装置−第１部：一般要求事項」には、「イネーブル機器」として、「始動制御とともに使う手動操作機器であり、継続操作したとき機械の運転が可能となる」の記載があり、以降、その具体的な説明がされている（甲第３号証の５）。これら以外にも、「ＪＩＳハンドブック」等のＪＩＳ関連の刊行物には、同様の定義付けがされている（甲第３号証の６及び７）。
（ｃ）「ＪＩＳ（日本工業規格）」は、我が国の工業分野における標準化のことである。工業標準化をはかることで、国レベルで「規格」を統一・単純化し、これにより生産効率の向上、経済利便性の確保等を臨むことができ、「ＪＩＳ」は、我が国で商取引を行なう者にとっては、最大の関心事といっても過言ではない。これよりすれば、「ＪＩＳ」関連の文書に記載されている前記「イネーブル装置」の定義は、我が国における取引者間に浸透していること明白である。事実、前記定義に沿って、「イネーブル」なる語、とりわけ「イネーブルスイッチ」なる語が取引者間で普通に使用されている例が多数見受けられる。以下に当該事実を示す。
（イ）「イネーブル」なる語の具体的使用例
（ａ）特許公報等
　甲第４号証の１ないし１０２は、「イネーブルスイッチ」なる語が使用されている公開特許公報等を示したものである。これを一覧表にしたのが甲第５号証（枝番号を含む。）である。
　請求人が本件無効審判を請求するにあたり、「イネーブル」なる語が使用されている特許公報等を探したところ、少なくとも１０２件もの公報における使用例が見つかり、その中で４８社もの企業が（延数ではない。）「あらかじめ定められた動作位置に保持されている間に限り、ロボットの作動を可能にするためのスイッチ」を表す言葉として、それぞれ「イネーブルスイッチ」なる語を用いて明細書を記載していることが判明した。そして、それらは、いずれも本件商標が登録出願・登録される以前からの使用である。
　以上より、「イネーブル」なる語は、本件商標の登録査定時には、既に当業界で「あらかじめ定められた動作位置に保持されている間に限り、ロボットの作動を可能にする」なる語義を有するものとして一般的に使用されていたこと明らかである。
（ｂ）インターネット上における使用例
　さらに、最近では、インターネットにおける使用例も多数みられ、「イネーブルスイッチ」で検索すると２１１件ものヒットがあり（甲第７号証の１）、前記定義付けにおける意味合いにおいて普通に使用されている。
（ｃ）被請求人による使用態様
　そして、被請求人による商標の使用態様に着目すると、被請求人は、片仮名で横書きされた「イネーブル」をその右上に登録商標を意味するであろうＲ（マル）を付して使用しているようである。Ｒ（マル）が付されているものの、被請求人は、「イネーブルスイッチ」として一体的に使用しているとともに、これまた普通に使用されている「グリップスイッチ」と並列して記載している。加えて、「イネーブルスイッチ」について、上述の定義付けと同旨の記述的な説明がなされている（甲第８号証）。
　これよりすれば、使用商標中の「イネーブル」の部分が独立して自他商品識別力を生じているとは到底思えない。また、「イネーブル」は、「ＥＮＡＢＬＥ」に容易に通じるものであり、本件商標全体をを使用した場合に識別力が生じるとも思えない。
（ウ）本件商標が自他商品識別力を有するか否か
　上記事実を総合勘案して、本件商標が自他商品識別力を有するか否かを考察するに、先ず、本件商標は、片仮名「イネーブル」の長音部分の下に「ＥＮＡＢＬＥ」なる欧文字を横書きして二段で構成され、その指定商品を「配電用又は制御用の機械器具」とするものである。
　また、「イネーブル装置」には、明確な定義付けがされており、「イネーブルスイッチ」を使用する取引者が多数存在することに徴すれば、取引者間では、「イネーブル」の語義を「あらかじめ定められた動作位置に保持されている間に限り、ロボットの作動を可能にする」と認識し、本件商標をその指定商品に使用しても、需要者は、これを「あらかじめ定められた動作位置に保持されている間に限り、ロボットの作動を可能にするための配電用又は制御用の機械器具」と理解するに止まり、「イネーブル」なる語が自他商品識別力を有しているとは到底思えない。また、「イネーブル」なる語は、我が国で馴染まれた平易な英語「ＥＮＡＢＬＥ」に通じること明らかであり、たとえ、「ＥＮＡＢＬＥ」を組合せてなる本件商標を使用しても、そこから自他商品識別力が生じるとは思えない。
（エ）そうとすれば、当業界で「あらかじめ定められた動作位置に保持されている間に限り、ロボットの作動を可能にする」なる語義を有する「イネーブル／ＥＮＡＢＬＥ」なる語を一私人に独占させるのは妥当でなく、また、被請求人自身による本件商標の使用に徴しても、これが自他商品識別標識たる商標の使用であるとは捉え難く、かかる観点からしても、本件商標は、無効とされるべきである。
　以上により、本件商標は、商標法第３条第１項第３号に違反して登録されたものである。
（２）本件商標が第４条第１項第１６号に該当する理由
　上述の如く、「イネーブル／ＥＮＡＢＬＥ」なる語は、「あらかじめ定められた動作位置に保持されている間に限り、ロボットの作動を可能にする」なる語義を有しているとして、需要者に浸透しているため、本件商標を、前記品質を有する商品以外の商品に使用すると、需要者は、その商品の品質を誤認すること必至である。
　したがって、本件商標は、商標法第４条第１項第１６号に違反して登録されたものである。
　
３　被請求人の答弁
　被請求人は、本件審判の請求は成り立たない、審判費用は請求人の負担とする、との審決を求め、その理由を要旨次のように述べ、証拠方法として乙第１号証及び乙第２号証（枝番号を含む。）を提出した。
（１）商標法第３条第１項第３号該当について
（ア）「イネーブル」の当業界における語義
（ａ）請求人は、「イネーブル」の語義を示すものとして甲第２号証及び甲第３号証を引用し、「イネーブル装置」として、「あらかじめ定められた動作位置に保持されている間に限り、ロボットの作動を可能にするための手動操作装置」の語義、「イネーブル機器」として「始動制御とともに使う手動操作機器であり、継続操作したとき機械の運転が可能となる」の語義等が定義付けされていると主張する。
　しかしながら、それらをみる限り、甲第２号証の２及び３並びに甲第３号証の１ないし７において、「イネーブル装置」又は「イネーブル機器」の語義は掲載されているとしても、同頁に「イネーブル」「ＥＮＡＢＬＥ」の語について、その語義が定義されている事実は見られない。
（ｂ）そこで、「イネーブル」「ＥＮＡＢＬＥ」単独の語の語義を調べると、請求人も引用している「ＪＩＳ工業用語大辞典」には、「イネーブル」として、「作動状態」の語義が、「情報技術用語大事典」では、「イネーブルｅｎａｂｌｅ」として、「ある機能やある装置が選択されて使用可能となること」の語義が、「インタープレス版　科学技術３５万語大辞典〔英和編〕」には、「ｅｎａｂｌｅ」として、「使用可能にする／できるようにする／能力を与える／割込可能にする」などの語義が、「理工学辞典」には、「イネイブルｅｎａｂｌｅ」として、「システムやプログラムおよび通信制御装置などを使用可能にすること」の語義が、「小学館ランダムハウス英和大辞典」では、「ｅｎａｂｌｅ」として、「できるようにする／・・・する力を与える／・・・する資格を与える／可能にする／容易にする」という語義がそれぞれ定義付けされ、掲載されている（乙第１号証の１ないし５）。
（ｃ）以上の事実から、請求人の引用する「あらかじめ定められた動作位置に保持されている間に限り、ロボットの作動を可能にするための手動操作スイッチ」などの語義は、「イネーブル装置」又は「イネーブル機器」というそれぞれの語句の語義として定義されているものであり、一方、「イネーブル」、「ＥＮＡＢＬＥ」という単独の語には、前記のような語義の定義付けはどこにも見ることができず、別に「作動状態」や「使用可能にする／できるようにする／能力を与える／割込可能にする」の語義が明確に定義されている。
（ｄ）これよりすれば、「イネーブル」「ＥＮＡＢＬＥ」の語義が「あらかじめ定められた動作位置に保持されている間に限り、ロボットの作動を可能にするための手動操作」であるという語義に特定して認識されるとはいい得ない。
（イ）「イネーブル」なる語の具体的使用例
（ａ）特許公報等
　請求人は、引用する特許公報等（甲第４号証の１ないし１０２）について、「『イネーブル』なる語が使用されている特許公報等を探したところ、・・・『あらかじめ定められた動作位置に保持されている間に限り、ロボットの作動を可能にするためのスイッチ』を表す言葉として、それぞれ『イネーブルスイッチ』なる語を用いて明細書を記載していることが判明した。」と論じるところ、甲第４号証の１ないし１０２に亘る１０２件の特許公報等に「イネーブルスイッチ」なる語が含まれていることは確かである。
　しかしながら、甲第４号証の１ないし１０２を検証する限り、それぞれの「イネーブルスイッチ」という語は、必ずしも「あらかじめ定められた動作位置に保持されている間に限り、ロボットの作動を可能にするためのスイッチ」という意味をもって使用されているとはいいきれないと思われる。以下に根拠を論じる。
（ｂ）甲第４号証の１における「・・・行わせるための重ね合わせイネーブルスイッチ」「・・・手段は該同期割込みイネーブルスイッチ」なる使用例は、日本語として若干の不自然さを感じさせるものであり、そこに「あらかじめ定められた動作位置に保持されている間に限り、ロボットの作動を可能にするためのスイッチ」という語義を当てはめれば、なおさら、解釈に違和感を感じさせるものである。被請求人の思うところ、この公報は、米国出願の翻訳であることを考慮に入れると、英文翻訳の過程において、「イネーブルスイッチ」という言葉に置き換えられてはいるものの、それは、それぞれ単に「ｅｎａｂｌｉｎｇ」という英単語の翻訳であり、その前後の語句と合わせて「・・・行わせるための重ね合わせを可能にするスイッチ」「・・・手段は該同期割込みを可能にするスイッチ」と解釈することが自然と思われる。
　すなわち、翻訳上、片仮名表記により「イネーブルスイッチ」という語が抽出され使用されているとしても、それは、単に英単語を片仮名表記したにすぎず、その内容は、「・・・を可能にする」の意味と捉えて理解すべきものであり、それらが請求人の主張するように「あらかじめ定められた動作位置に保持されている間に限り、ロボットの作動を可能にするためのスイッチ」という意味をもって使用されているとは考え難い。このことは、甲第４号証の３・５・７・１１・１４・１５・２５・６７・７３・１０１における「イネーブルスイッチ」の語の使用例においても同様である。
（ｃ）甲第４号証の４における「イネーブル／ディセーブルスイッチ」なる使用例は、「イネーブル」と「ディセーブル」が反対の意味を持つ英単語「ｅｎａｂｌｅ」「ｄｉｓａｂｌｅ」を片仮名表記したものであり、その２つの語を「／」で対比させながら記載しているところ、それは反対語を並列して「可能／不可能」という意味を表していると捉えるのが自然であり、これを「イネーブルスイッチ」についてのみ抽出し「あらかじめ定められた動作位置に保持されている間に限り、ロボットの作動を可能にするためのスイッチ」という意味をもって使用されていると理解するのは著しく不自然であるといわねばならない。このことは、甲第４号証の２５・３３・３６・９９における「イネーブルスイッチ」の語の使用例においても同様である。
（ｄ）甲第４号証の５における「イネーブルスイッチ」なる使用例は、その前後の文脈全体から読み取れば、正しくは「イネーブルスイツチング入力信号」を一単語として捉えるべきところ、請求人がその一部である「イネーブルスイッチ」の語のみをマーカーしているものである。同じく、甲第４号証の６６における「イネーブルスイッチ」なる使用例も、前後の文脈から読み取れば、正しくは「ローイネーブルスイッチ」を一単語として捉えるべきものである。
（ｅ）このように、文章上本来意図されている一単語の一部分にすぎない「イネーブルスイッチ」だけを抽出し、その部分が独立して「あらかじめ定められた動作位置に保持されている間に限り、ロボットの作動を可能にするためのスイッチ」という意味をもって使用されていると理解するのは、著しく不自然であるといわねばならない。この場合、文章上本来意図されている一単語をひとつのまとまりとして、そこから解釈される意味において理解することが適当である。このこのことは、同じく甲第４号証の３・６・７・９・１１・１４・１５・１７・２０・２１・２６・２７・２９・３０・４３・６７ないし７０・７３・７５・８２・８６・８７・８９・９３・９４における「イネーブルスイッチ」の語の使用例においても同様である。
（ｆ）以上からすれば、特許公報等中のそれぞれの「イネーブルスイッチ」という語は、必ずしも「あらかじめ定められた動作位置に保持されている間に限り、ロボットの作動を可能にするためのスイッチ」という意味をもって使用されているとは限らないことが明らかである。
（ウ）インターネット上における使用例
　請求人の示す「イネーブルスイッチ」の検索による２１１件というヒット件数は、２００４年３月５日現在のものであり、本件商標の登録査定時である２００２（平成１４）年当時の件数ではない。
　しかしながら、当時の検索ヒット件数が皆無であるとは断定できず、「イネーブルスイッチ」の語が世間一般に広くとはいえずとも、業界内では使用されていたかもしれないことは否定できないものである。そうではあるが、同時に、それらが「あらかじめ定められた動作位置に保持されている間に限り、ロボットの作動を可能にするためのスイッチ」という意味をもって使用されていたことも断定できない。
（エ）被請求人による使用態様
　請求人の示す被請求人の使用態様について、被請求人は答弁しない。
（オ）本件商標が自他識別力を有するか否か
（ａ）本件商標は、片仮名「イネーブル」の長音部分の下に「ＥＮＡＢＬＥ」なる欧文字を横書きして二段で構成され、その指定商品を「配電用又は制御用の機械器具」とするものである。
　請求人は、「『イネーブル装置』に明確な定義付けがされており、『イネーブルスイッチ』を使用する取引者が多数存在することに徴すれば、取引者間では『イネーブル』の語義を『あらかじめ定められた動作位置に保持されている間に限り、ロボットの作動を可能にする』と認識し、本願商標をその指定商品に使用しても、需要者はこれを『あらかじめ定められた動作位置に保持されている間に限り、ロボットの作動を可能にするための配電用又は制御用の機械器具』と理解するにとどまり、イネーブルなる語が自他識別力を有しているとは到底思えない」と主張する。
　確かに、辞書等掲載例において「イネーブル装置」に明確な定義付けがされている事実、特許公報等の中には「イネーブルスイッチ」という語が「あらかじめ定められた動作位置に保持されている間に限り、ロボットの作動を可能にするためのスイッチ」の語義において使用されているものがあるかもしれない事実、登録査定当時のインターネット上におけるヒット件数が皆無であるとはいいきれない事実、などの存在があり、「イネーブルスイッチ」の語が世間一般に広くとはいえずとも、少なくとも業界内では「あらかじめ定められた動作位置に保持されている間に限り、ロボットの作動を可能にするためのスイッチ」という語義をもって認識されていたかもしれないことは否定できない。
（ｂ）しかしながら、既に述べてきたように「イネーブル装置」とは別に「イネーブル」「ＥＮＡＢＬＥ」そのものの語において他の明確な定義付けがされている事実、また、「イネーブルスイッチ」という語がいつも必ずしも「あらかじめ定められた動作位置に保持されている間に限り、ロボットの作動を可能にするためのスイッチ」という語義を意図して使用されているのではなく、それぞれの文脈に見合った「・・・を可能にする」などの単なる英単語としての意味として使用されている事実、なども多数存在する限り、「イネーブル」「ＥＮＡＢＬＥ」なる語が、いつも直ちにすべての取引者間において「イネーブル装置」「イネーブルスイッチ」の語義と通じ、「あらかじめ定められた動作位置に保持されている間に限り、ロボットの作動を可能にする」なる語義として認識されているとはいうことができない。
（ｃ）また、請求人の示す甲第４号証の１２及び１３においては、「イネーブルスイッチ」の語のあとに「ＥＳ」と記載されており、甲第４号証の４９においては、「イネーブルスイッチ」の語のあとに「（ＥＮＳＷ）」と記載されており、また甲第４号証の５０ないし６４においては、「イネーブルスイッチ」の語のあとに「（ＥＮ−ＳＷ）」と記載されている。
　このように、「イネーブルスイッチ」の語を略して記載する場合においては、必ず「イネーブル」と「スイッチ」の語をそれぞれ表す文字を含んで略されており、それを切り離して「イネーブル」のみを略語として使用している例は見受けられない。つまり、「イネーブルスイッチ」の語の語義はある程度認識されていたとしても、その語義を意味しようとすれば、必ず「イネーブル」と「スイッチ」の語を一連とした「イネーブルスイッチ」という一単語として使用する必要があると認識されており、単に「イネーブル」の語のみでは、「あらかじめ定められた動作位置に保持されている間に限り、ロボットの作動を可能にするためのスイッチ」と同様の意味を認識させることはできないのである。
（ｄ）さらには、請求人の主張するように、英語「ＥＮＡＢＬＥ」なる語は、我が国でも馴染まれた平易な英単語であり、「イネーブル」がその英単語に通じることが明らかであればこそ、「イネーブル」「ＥＮＡＢＬＥ」の語からは、その英単語がもつ語義である「できるようにする／・・・する力を与える／・・・する資格を与える／可能にする／容易にする」という意味こそがより馴染み深く、需要者においてもそのような意味を自然と認識すると考えるべきである。
（ｅ）請求人は、本件商標が商標法第３条１項３号に違反して登録されたものであると主張するところ、その主旨は、「イネーブル」「ＥＮＡＢＬＥ」なる語が商品の品質を表示するに過ぎないから無効となって然るべき、というものであると思料する。
　しかしながら、被請求人がこれまで述べてきたように、本件商標は、「できるようにする／・・・する力を与える／・・・する資格を与える／可能にする／容易にする」という意味において自然に認識されるところ、その意味においては、それが直ちに具体的な商品の品質・機能を直接的に表すものとして認識され理解されるとはいえず、商標法第３条第１項第３号に違反しているものではない。
　例えば、商標登録第４４４７１３７号「ＲＥＳＥＴ」については、「ＪＩＳ工業用語大辞典」において明確に「リセットスイッチ」の定義付けがされており、また、「情報技術用語大事典」においても「リセットボタン」「リセットレバー」などの定義付けが明確にされているにもかかわらず、この登録例が指定商品「配電用又は制御用の機械器具」その他について存在していることからしても、特許庁審査においては、「ＲＥＳＥＴ」の語がいつも直ちに「リセットスイッチ」等の語義に結びついて認識されるものではないと判断され、「ＲＥＳＥＴ」単独の語義のみではそれが直ちに具体的な商品の品質・機能を直接的に表すものではないと判断されているものと窺えるところである（乙第２号証の１ないし３）。
（２）商標法第４条第１項第１６号該当について
　上述の如く、本願商標は、「あらかじめ定められた動作位置に保持されている間に限り、ロボットの作動を可能にする」という意味がいつも直ちにすべての取引者間において認識されるものではなく、むしろ、それ以上に一般的に「イネーブル」「ＥＮＡＢＬＥ」の語の語義である「できるようにする／・・・する力を与える／・・・する資格を与える／可能にする／容易にする」という意味が自然に認識されるものであるところ、そのような意味を認識させる本件商標は、直ちに具体的な商品の品質・機能を直接的に表すものではなく、したがって需要者において商品の品質の誤認を生じさせるものではなく、商標法第４条第１項第１６号に違反しているものではない。
（３）結語
　以上のように、本件商標は、指定商品の「品質」「効能」等を間接的に表示するものにすぎず、そのため商品の品質の誤認を生ずるおそれのあるものでもない。
　したがって、本件商標が商標法第３条第１項第３号及び同法第４条第１項第１６号に違反して登録されたものとして、同法第４６条第１項第１号により無効とされるべきことを求める本件審判の請求は、成り立たない。
　
４　当審の判断
　請求人は、本件商標が単に商品の品質を表示するにすぎず、自他商品の識別力を有しないものであり、かつ、商品の品質の誤認を生ずるおそれがあるから、商標法第３条第１項第３号及び同法第４条第１項第１６号に該当する旨主張しているので、この点について、以下、検討する。
（１）商標法第３条第１項第３号該当について
　本件商標は、別掲のとおり上段に片仮名文字の「イネーブル」を大きく表し、その長音符号「ー」の下部にごく小さな欧文字の「ＥＮＡＢＬＥ」の文字が配されているものである。
　ところで、請求人の提出に係る甲号証によれば、本件商標の指定商品を取り扱う分野においては、「イネーブル装置」ないしは「イネーブルスイッチ」と呼ばれる商品が存在し、「イネーブル装置」については、「ＪＩＳ工業用語大辞典」、「機械工学事典」などの複数の技術用語辞典（甲第２号証の１ないし３、甲第３号証の１ないし７）に掲載されていて、「イネーブル装置」は、「あらかじめ定められた動作位置に保持されている間に限り、ロボットの作動を可能にするための手動操作装置」をいうものとされている。
　また、「イネーブルスイッチ」の語は、「あらかじめ定められた動作位置に保持されている間に限り、ロボットの作動を可能にするためのスイッチ」の意味合いで、公開特許公報を初め、インターネットの各社ホームページ等において普通に使用されていることが認められる（甲第４号証の１ないし１０２、甲第６号証の１ないし６、甲第７号証の１ないし７）。
　しかも、甲第８号証によれば、被請求人も、その商品カタログにおいて、「イネーブル装置」及び「イネーブルスイッチ」の語を記述的に使用していることが認められる。
　しかして、本件商標の指定商品は、「配電用又は制御用の機械器具」であり、上記「イネーブルスイッチ」を始めとするスイッチを含むものであることは明らかである。また、イネーブルスイッチは、上記「イネーブル装置」の範疇に属するものといえる。
　そうすると、本件商標の指定商品を取り扱う分野においては、「イネーブル」及び「ＥＮＡＢＬＥ」の両文字よりなる本件商標から、上記のとおり、「イネーブル装置」ないしは「イネーブルスイッチ」が連想、想起されることは想像するに難くないものというべきである。そして、本件商標をその指定商品、とりわけ「イネーブル装置」ないしは「イネーブルスイッチ」に使用した場合には、これに接する取引者、需要者は、該商品が「イネーブル装置」ないしは「イネーブルスイッチ」としての機能、品質を有するものであることを表示したものと認識し理解するに止まり、自他商品の識別標識としては認識し得ないものというべきである。
　この点に関し、被請求人は、「イネーブル」及び「ＥＮＡＢＬＥ」の語のみでは、「作動状態」、「使用可能にする／できるようにする／能力を与える／割込可能にする」等の語義が定義付けされており（乙第１号証の１ないし５）、「あらかじめ定められた動作位置に保持されている間に限り、ロボットの作動を可能にするための手動操作」という語義に特定して認識されるとはいい得ないと主張している。
　確かに、「イネーブル」及び「ＥＮＡＢＬＥ」の語自体が「あらかじめ定められた動作位置に保持されている間に限り、ロボットの作動を可能にするための手動操作」という厳密な定義付けがされていることを示すものはない。
　しかしながら、ある商標が自他商品の識別力を有するか否かは、その商標が使用される商品との関係を抜きにして判断することができないのは当然である。
　しかるに、上記のとおり、本件商標の指定商品の分野においては、「イネーブル装置」、「イネーブルスイッチ」と呼ばれる一群の商品が存在しており、これらの商品は、本件商標の指定商品に含まれるのであるから、本件商標が「イネーブル装置」、「イネーブルスイッチ」等に使用された場合には、当業者が「イネーブル装置」の機能である「あらかじめ定められた動作位置に保持されている間に限り、ロボットの作動を可能にするための手動操作」の意味合いを認識し理解するであろうことが明らかというべきである。
　よって、被請求人の主張は採用することができない。
　したがって、本件商標は、商品の品質、機能を普通に用いられる方法で表示する標章のみからなる商標というべきであるから、商標法第３条第１項第３号に該当するものである。
（２）商標法第４条第１項第１６号該当について
　本件商標の指定商品には、「イネーブル装置」及び「イネーブルスイッチ」以外の商品が含まれているから、それらの商品に本件商標が使用された場合には、該商品が「イネーブル装置」ないしは「イネーブルスイッチ」としての機能を有する商品であるかの如く、その品質について誤認を生ずるおそれがあるというべきである。
　したがって、本件商標は、商標法第４条第１項第１６号に該当するものである。
（３）まとめ
　以上のとおり、請求人の主張には理由があり、結局、本件商標は、商標法第３条第１項第３号及び同法第４条第１項第１６号の規定に違反して登録されたものであるから、その登録を無効にすべきものである。
　よって、結論のとおり審決する。